(57)【要約】本発明は、フォーカスセンサに入射する赤外光の光量を確保できるフォーカス装置，撮像システムおよびフォーカスレンズ駆動信号出力方法を提供する。入射光のうち，絞り（１０）の第１の領域（１１）で可視光と赤外光とを透過させ，第２の領域（１２）で赤外光を透過させる。可視光はダイクロイックミラー（３）を透過し，イメージセンサ（２１）に入射する。赤外光はダイクロイックミラーの反射面（４）において反射させられ，フォーカスセンサ（６）に入射する。フォーカスセンサからはフォーカスレンズ駆動信号が出力され，フォーカスレンズ駆動装置（７）に入力する。フォーカスレンズ駆動装置において，フォーカスレンズ（２）が駆動させられる。フォーカスセンサに入射する光量が少なくならないので，正確なフォーカシングが可能となる。
2017047239.tif 000002
【特許請求の範囲】
【請求項１】
可視光と赤外光との両方を透過する特性を有する第１の領域，および，赤外光を透過するが可視光を遮光する特性を有する第２の領域を有する絞り，
上記絞りを透過した可視光と赤外光とを分離する分離手段，ならびに
上記分離手段によって分離された赤外光を受光面に入射し，フォーカスレンズ駆動信号を出力するフォーカスセンサ，
を備えたフォーカス装置。
【請求項２】
上記絞りは，赤外光を遮光する特性を有し，かつ可視光を半透過する特性を有する第３の領域を有する，
請求項１に記載のフォーカス装置。
【請求項３】
上記第３の領域は外周部に近づくにつれて可視光の透過率が小さくなる，
請求項２に記載のフォーカス装置。
【請求項４】
上記第２の領域と上記フォーカスセンサの受光面とは長手方向と短手方向とを有する形状であり，
上記第２の領域の長手方向と上記フォーカスセンサの受光面の長手方向とが一致しているか，あるいは，上記第２の領域の短手方向と上記フォーカスセンサの受光面の短手方向とが一致している，
請求項１から３のうち，いずれか一項に記載のフォーカス装置。
【請求項５】
上記第２の領域は，上記第１の領域に外接している，
請求項４に記載のフォーカス装置。
【請求項６】
上記第３の領域は上記第２の領域によって分断されている，
請求項４または５に記載のフォーカス装置。
【請求項７】
上記絞りにおける上記第１の領域の大きさが変化する，
請求項１から６のうち，いずれか一項に記載のフォーカス装置。
【請求項８】
上記絞りにおける上記第２の領域の大きさが変化する，
請求項１から７のうち，いずれか一項に記載のフォーカス装置。
【請求項９】
上記分離手段によって分離された可視光を，撮像装置の受光面に入射させる，
請求項１から８のうち，いずれか一項に記載のフォーカス装置。
【請求項１０】
上記フォーカスセンサにより出力されたフォーカスレンズ駆動信号を入力し，フォーカスレンズを駆動するフォーカスレンズ駆動装置，
をさらに備えた請求項１から９のうち，いずれか一項に記載のフォーカス装置。
【請求項１１】
請求項１から10のうち，いずれか一項に記載のフォーカス装置を備えた撮像システム。
【請求項１２】
複数の光学特性領域を有する絞り，絞りを透過した光を分離する分離手段，ならびに，フォーカスレンズ駆動信号を出力するフォーカスセンサを備えるフォーカス装置によるフォーカスレンズ駆動信号出力方法であって、
分離手段が，可視光と赤外光との両方を透過する特性を有する第１の領域，および赤外光を透過するが可視光を遮光する特性を有する第２の領域を有する絞りを透過した可視光と赤外光とを分離し，
フォーカスセンサが，上記分離手段によって分離された赤外光を受光面に入射し，フォーカスレンズ駆動信号を出力する，
フォーカスレンズ駆動信号出力方法。
【発明の詳細な説明】
【技術分野】
【０００１】
この発明は，フォーカス装置，撮像システムおよびフォーカス駆動信号出力方法に関する。
【背景技術】
【０００２】
オートフォーカスでは，撮影レンズに入射した光の一部を分岐し，撮像用のセンサとは別のフォーカスセンサに入射させるものがある（特許文献１）。このようなオートフォーカスにおいては，一定以上の絞り量の場合にはフォーカスセンサに光が入射しないことがある。このようなことを防止するために，可視光と赤外光とを分岐し，可視光を撮像用センサに入射し，赤外光をフォーカスセンサに入射させるものがある(特許文献
２)。また，可視光領域の波長の光を遮光し，近赤外領域の波長の光を透過する可動絞りについても考えられている(特許文献３)。さらに，絞りの開口形状を瞳分割方向に応じた細長の形状とするもの(特許文献４)，遮光部の外側にさらに可視光を透過する領域が形成されている絞り(特許文献５)なども考えられている。
【先行技術文献】
【特許文献】
【０００３】
【特許文献１】特開2008-233896号公報
【特許文献２】特開2004-118141号公報
【特許文献３】特開2013-156605号公報
【特許文献４】特開2013-68819号公報
【特許文献５】特開2007-312311号公報
【発明の概要】
【発明が解決しようとする課題】
【０００４】
特許文献２および特許文献３に記載の発明では，絞りが絞られると得られる赤外光の光量が少なくなってしまい，フォーカシングに必要な赤外光の光量を確保できない。【０００５】
本発明は，入射光を可視光と赤外光とに分岐し，赤外光を利用してフォーカシングする場合であっても，フォーカシングに必要な赤外光の光量を確保することを目的とする。
【課題を解決するための手段】
【０００６】
本発明によるフォーカス装置は，可視光と赤外光との両方を透過する特性を有する第１の領域，および赤外光を透過するが可視光を遮光する特性を有する第２の領域を有する絞り，絞りを透過した可視光と赤外光とを分離する分離手段，ならびに分離手段によって分離された赤外光を受光面に入射し，フォーカスレンズ駆動信号を出力するフォーカスセンサを備えていることを特徴とする。【０００７】
本発明は，複数の光学特性領域を有する絞り，絞りを透過した光を分離する分離手段，ならびに，フォーカスレンズ駆動信号を出力するフォーカスセンサを備えるフォーカス装置によるフォーカスレンズ駆動信号出力方法も提供している。すなわち，この方法は，分離手段が，可視光と赤外光との両方を透過する特性を有する第１の領域，および赤外光を透過するが可視光を遮光する特性を有する第２の領域を有する絞りを透過した可視光と赤外光とを分離し，フォーカスセンサが，分離手段によって分離された赤外光を受光面に入射し，フォーカスレンズ駆動信号を出力するものである。【０００８】
絞りは，赤外光を遮光する特性を有し，かつ可視光を半透過する特性を有する第３の領域を有することが好ましい。【０００９】
第３の領域は外周部に近づくにつれて可視光の透過率が小さくなるものでもよい。【００１０】
第２の領域とフォーカスセンサの受光面とは，たとえば，長手方向と短手方向とを有する形状である。この場合，第２の領域の長手方向とフォーカスセンサの受光面の長手方向とが一致している，あるいは，第２の領域の短手方向とフォーカスセンサの受光面の短手方向とが一致していることが好ましい。【００１１】
第２の領域は，第１の領域に外接していてもよい。また，第３の領域は第２の領域によって分断されていてもよい。【００１２】
絞りにおける第１の領域の大きさが変化してもよいし，絞りの第２の領域の大きさが変化してもよい。【００１３】
分離手段によって分離された可視光を，撮像装置の受光面に入射させるようにしてもよい。【００１４】
フォーカスセンサにより出力されたフォーカスレンズ駆動信号を入力し，フォーカスレンズを駆動するフォーカスレンズ駆動装置をさらに備えてもよい。【００１５】
フォーカス装置を備えた撮像システムでもよい。
【発明の効果】
【００１６】
この発明によると，絞りには，可視光と赤外光との両方を透過する特性を有する第１の領域，および，赤外光を透過するが可視光を遮光する特性を有する第２の領域が設けられている。絞りを透過した可視光と赤外光とは，分離手段によって分離され，赤外光は，フォーカスセンサの受光面に入射する。赤外光については，第１の領域だけでなく第２の領域も透過するので，フォーカスセンサの受光面に入射する赤外光の光量を多く確保できる。フォーカスセンサ用に可視光の一部を分岐して十分に入射させることもないので，撮像用の可視光の光量が少なくなってしまうことも未然に防止できる。
【図面の簡単な説明】
【００１７】
【図１】テレビレンズシステムの構成を示すブロック図である。
【図２】絞りの一例である。
【図３】絞りの一例である。
【図４】絞りの一例である。
【図５】絞りとダイクロイックミラーとフォーカスセンサとの位置関係を示している。
【図６】絞りとフォーカスセンサとの関係を示している。
【図７】絞りを構成する絞り羽根の一例である。
【図８】絞りを構成する絞り羽根の一例である。
【図９】絞りの一例である。
【図１０】絞りを構成する絞り羽根の一例である。
【図１１】絞りの一例である。
【図１２】絞りの一例である。
【図１３】絞りを構成する絞り羽根の一例である。
【図１４】絞りの一例である。
【図１５】絞りの一例である。
【発明を実施するための形態】
【００１８】
図１は，この発明の実施例を示すもので，テレビレンズシステム(フォーカス装置を備えた撮像システム)の構成を示すブロック図である。以下，テレビレンズシステムの実施例について説明するが，テレビレンズシステムに限らず，監視カメラ，ディジタルスチルカメラ，ムービディジタルカメラなどの他の撮像システムにも適用できる。
【００１９】
テレビレンズシステムには，テレビレンズ１とカメラ20とが含まれており，カメラ20にテレビレンズ１が装着されている。
【００２０】
テレビレンズ１への入射光は，フォーカスレンズ２によって集光され，絞り10に導かれる。
【００２１】
図２は，絞り10の正面図である。
【００２２】
絞り10は，絞り値が固定の固定絞りであるが，後述するように絞りとして用いられるのは固定絞りに限らず，絞り値が可変の可変絞りを用いることもできる。絞り10は，絞り値を決める開口絞りに限らず不要光をカットする遮光絞りであっても構わない。
【００２３】
絞り10の中央には円形の第１の領域11が形成されている。この第１の領域11は，開口しており，その大きさに対応して絞り値が決定する。テレビレンズ１への入射光には，可視光のほかに赤外光も含まれており，第１の領域11は，可視光と赤外光との両方を透過する特性を有する。第１の領域11に外接して，円環状の第２の領域12が形成されている。第２の領域は，赤外光は透過するが可視光を遮光する特性を有している。さらに，第２の領域12に外接して，円環状の第３の領域13が形成されている。第３の領域13は，可視光および赤外光のいずれも遮光する特性を有している。絞り10には第３の領域13が形成されているが，第３の領域13が形成されなくともよい。第１の領域11，第２の領域12および第３の領域13のそれぞれの中心は，テレビレンズ１の光軸Ｃに一致している。
【００２４】
図１に戻って，絞り10の第１の領域11からは可視光と赤外光とが透過し，絞り10の第２の領域12からは赤外光が透過し（可視光は遮光される），絞り10の第３の領域13では可視光と赤外光との両方が遮光される。絞り10を透過した可視光および赤外光は，ダイクロイックミラー３(分離手段)に導かれる。赤外光は，ダイクロイックミラー３の反射面４において反射させられる。可視光は，ダイクロイックミラー３の反射面４を透過する。このように，ダイクロイックミラー３によって絞り10を透過した光が可視光と赤外光とに分離される。ダイクロイックミラー３の波長特性により，一部の可視光と赤外光が反射面４により反射されても良い。
【００２５】
この実施例によるテレビレンズ１は，位相差ＡＦ(オートフォーカス)により，フォーカスレンズ２を位置決めできる。このために，テレビレンズ１には，フォーカスセンサ６が含まれている。ダイクロイックミラー３の反射面４において反射した赤外光は，光学系(図示略)によって２つに分けられる。２つに分けられた赤外光がフォーカスセンサ６に入射し，フォーカスセンサ６において結像した２つの被写体像の間隔に基づいて，フォーカスレンズ２を駆動するためのフォーカスレンズ駆動信号がフォーカスセンサ６により出力される。フォーカスレンズ駆動信号は，フォーカスレンズ駆動装置７に入力し，フォーカスレンズ駆動装置７によってフォーカスレンズ２が駆動させられる。
【００２６】
絞り10の第１の領域11および第２の領域12を透過する赤外光がフォーカスセンサ６に入射するので，可視光の一部をフォーカスセンサ６に入射させてフォーカスレンズ駆動信号を形成する必要がないため，絞り10の開口量が小さい場合においても，可視光がフォーカスセンサ６に入射されず正確なフォーカシングができなくなることが未然に防止される。また，赤外光をフォーカスセンサ６に入射させているので，可視光の一部を分岐しフォーカスセンサ６に入射させる場合に比べて，ＣＣＤ(Charge-Coupled Device)センサ，ＣＭＯＳ（complementary metal-oxide semiconductor)センサなどのイメージセンサ21に入射する可視光の光量が少なくならないため，撮像した被写体像が暗くなってしまうことが未然に防止される。また、絞り10の第１の領域11を透過する赤外光だけでなく，第２の領域12を透過する赤外光もフォーカスセンサ６に入射し、フォーカスレンズ駆動信号を形成するので，フォーカスセンサ６に入射する赤外光の光量が絞り10の第１の領域11を透過する赤外光だけより増え，絞り10の開口量が小さい場合においても，フォーカスセンサ６に入射する赤外光の光量が不十分であることが防止され，比較的正確にフォーカシングができる。
【００２７】
絞り10，ダイクロイックミラー３およびフォーカスセンサ６がフォーカス装置を構成する。
【００２８】
ダイクロイックミラー３の反射面４を透過した可視光は，撮像レンズ５によってカメラ20に含まれているイメージセンサ21（撮像装置）の受光面に導かれる。イメージセンサ21から，被写体像を表す映像信号が出力される。
【００２９】
図３は，絞りの他の例を示す正面図である。
【００３０】
図３に示す絞り10Ａを，図２に示す絞り10の代わりに，図１に示すテレビレンズシステムに使用できる。
【００３１】
図３に示す絞り10Ａには，図２に示す絞り10と同様に，中央に円形の第１の領域11が形成され，第１の領域11に外接して円環状の第２の領域12が形成されている。第１の領域11は，可視光および赤外光を透過する。第２の領域12は可視光を遮光し赤外光を透過する。さらに，第２の領域12に外接して円環状の第３の領域13Ａが形成されている。第３の領域13Ａは，可視光については半透過特性を有している。第３の領域13Ａを透過した可視光がイメージセンサ21に導かれることにより，得られる被写体像は自然な感じにぼけたものとなる。図３に示す第３の領域13Ａは，外周部に近づくにつれて可視光の透過率が小さくなっているが，外周部に近づくにつれて可視光の透過率が小さくならなくともよい。
【００３２】
図４は，絞りの他の例を示すもので，正面図である。
【００３３】
図４に示す絞り30も，図２に示す絞り10の代わりに，図１に示すテレビレンズシステムに使用できる。
【００３４】
図４に示す絞り30には，図２に示す絞り10と同様に，中央に円形の第１の領域31が形成されている。第１の領域31は，開口であり，可視光および赤外光のいずれも透過する。第１の領域31から横方向(図４における横方向)に矩形の第２の領域32が形成されている。第２の領域32は，可視光は遮光するが，赤外光は透過する特性を有する。第１の領域31および第２の領域32以外の絞り30の領域は，可視光も赤外光もいずれも遮光する特性を有する第３の領域33である。
【００３５】
図５は，絞り30が図１に示すテレビレンズシステムに適用された場合の絞り30とダイクロイックミラー３とフォーカスセンサ６との位置関係を示している。図６は，絞り30の背面図(正面図と同じである)およびフォーカスセンサ６の平面図を示している。
【００３６】
図５において，テレビレンズ１の光軸Ｃと同じ方向をＸ方向，Ｘ方向と直角をなす角を，それぞれＹ方向およびＺ方向とする。
【００３７】
図６に示すように，絞り30の第２の領域32およびフォーカスセンサ６の受光面６Ａのいずれも長手方向および短手方向を有する形状である。図５および図６に示すように，フォーカスセンサ６の受光面６Ａの長手方向はＹ方向であり，絞り30の第２の領域32の長手方向もＹ方向である。このように，フォーカスセンサ６の受光面６Ａ(フォーカスセンサ６)の長手方向と，絞り30の第２の領域32の長手方向とが一致(完全に一致しなくともほぼ一致しているとように見做せればよい、例えば、両長手方向がなす角度は10度以下)するように，テレビレンズシステムにおいてフォーカスセンサ６と絞り30とが構成されている。第２の領域32を透過した赤外光のうち，フォーカスセンサ６の受光面６Ａに入射する赤外光が多くなる。
【００３８】
図５に示す例では，フォーカスセンサ６の受光面６Ａ(フォーカスセンサ６)の長手方向と，絞り30の第２の領域32の長手方向とが一致するように，絞り30とフォーカスセンサ６とが構成されているが，フォーカスセンサ６の受光面６Ａ(フォーカスセンサ６)の短手方向と，絞り30の第２の領域32の短手方向とが一致（完全に一致しなくともほぼ一致しているように見做せればよい）するように，絞り30とフォーカスセンサ６とを構成するようにしてもよい。図５に示す例では，フォーカスセンサ６を，ＸＹ平面において90度回転させ，かつ絞り30を，ＹＺ平面において90度回転させることにより，フォーカスセンサ６の受光面６Ａ(フォーカスセンサ６)の短手方向と，絞り30の第２の領域32の短手方向とが一致する。
【００３９】
図５および図６に示す例では，第２の領域32の形状とフォーカスセンサ６(フォーカスセンサ６の受光面６Ａ)の形状とは相似すると考えられるが，第２の領域32の形状とフォーカスセンサ６(フォーカスセンサ６の受光面６Ａ)の形状とは相似であってもよいし，異なる形状であってもよい。たとえば，第２の領域32の形状が楕円形状でもよく，第２の領域32の形状とフォーカスセンサ６(フォーカスセンサ６の受光面６Ａ)の形状とが，長手方向と短手方向とを有する形状であればよい。長手方向の長さと短手方向の長さとは同じでもよい。
【００４０】
図７から図９は，他の実施例を示している。
【００４１】
上述した実施例では，第１の領域11の大きさは固定であり，絞り値を変更していない状態において、説明したが，図７から図９に示す実施例では絞り値を変更する場合について説明する。
【００４２】
図７から図９は，２枚羽根の絞り37である。
【００４３】
図７は，絞り37の分解図である。
【００４４】
絞り37は，第１の絞り羽根37Ａと第２の絞り羽根37Ｂとから構成されている。
【００４５】
第１の絞り羽根37Ａは，内側に屈曲するように，折れ曲がっている。第１の絞り羽根37Ａの一端部には穴34Ａが空けられている。折れ曲がっている部分には，可視光を遮光するが赤外光を透過する赤外光透過領域35Ａが形成されている。赤外光透過領域35Ａを除く領域は，可視光および赤外光のいずれも遮光する遮光領域33Ａである。
【００４６】
第２の絞り羽根37Ｂも内側に屈曲するように，折れ曲がっている。第２の絞り羽根37Ｂの一端部にも穴34Ｂが空けられている。折れ曲がっている部分には，可視光を遮光するが赤外光を透過する赤外光透過領域35Ｂが形成されている。赤外光透過領域35Ｂを除く領域は可視光および赤外光のいずれも遮光する遮光領域33Ｂである。
【００４７】
穴34Ａと穴34Ｂとが一致するようにピン(図示略)によって，第１の絞り羽根37Ａと第２の絞り羽根37Ｂとがピンを中心に所定角度回転可能に留められる。
【００４８】
図８は，第１の絞り羽根37Ａと第２の絞り羽根37Ｂとがピンによって留められた様子を示している。
【００４９】
第１の絞り羽根37Ａの赤外光透過領域35Ａの内側の辺36Ａと第２の絞り羽根37Ｂの赤外光透過領域35Ｂの内側の辺36Ｂとによって囲まれる領域は開口部となり，可視光および赤外光のいずれも透過する第１の領域38(図４に示す絞り30の第１の領域31に対応)となる。第１の絞り羽根37Ａの赤外光透過領域35Ａと第２の絞り羽根37Ｂの赤外光透過領域35Ｂとを合わせた領域が，可視光を遮光し，赤外光を透過する第２の領域(図４に示す絞り30の第２の領域32に対応)となる。第１の絞り羽根37Ａの遮光領域33Ａと第２の絞り羽根37Ｂの遮光領域33Ｂとを合わせた領域が，可視光および赤外光のいずれも遮光する第３の領域(図４に示す絞り30の第３の領域33に対応)となる。
【００５０】
図９は，第１の絞り羽根37Ａおよび第２の絞り羽根37Ｂを，穴34Ａおよび34Ｂに通っているピン（図示略）を中心に，それぞれ外側に所定角度回転させた絞り37の状態を示している。第１の絞り羽根37Ａおよび第２の絞り羽根37Ｂが互いに近づくようにピンを中心に回転させることにより，第１の領域38は小さくなり，第１の絞り羽根37Ａおよび第２の絞り羽根37Ｂが互いに遠ざかるようにピンを中心に回転させることにより，第１の領域38は大きくなる。このようにして第１の領域38の大きさを変化させることができる。
【００５１】
図10および図11は，絞り値を変更できる絞りの他の一例で，８枚羽根の絞り40の一例である。
【００５２】
図10は，絞りを構成する絞り羽根45の正面図である。
【００５３】
絞り羽根45は，一つの頂点の近傍にピン44が取り付けられている。絞り羽根45はピン44中心に，絞り値に応じた角度だけ回転自在である。
【００５４】
絞り羽根45のほぼ半分の領域(図10において上半分の領域)は，可視光および赤外光のいずれも遮光する遮光領域43である。絞り羽根45の残りのほぼ半分の領域(図10において下半分の領域)は可視光を遮光するが，赤外光は透過する特性を有する赤外光透過領域42である。赤外光透過領域42を規定する一部の辺41が，後述するように絞り量を規定する開口の第１の領域51(図11参照)を規定する。
【００５５】
図11を参照して，８枚の絞り羽根45のピン44が同一円周上に等間隔で固定されることにより，絞り40が構成される。中央に，一部の辺41によって大きさが規定される開口が形成され，この開口が第１の領域51となる。第１の領域51は，可視光および赤外光のいずれも透過する。８枚の絞り羽根45の赤外光透過領域42で規定される領域が，第２の領域52となる。第２の領域52は，赤外光は透過するが可視光は遮光する。８枚の絞り羽根45の遮光領域43により規定される領域が第３の領域53となる。第３の領域53は，可視光および赤外光のいずれも遮光する。
【００５６】
絞り羽根45の一部の辺41を構成する頂点41Ａ(図10参照)が絞り40の中心に近づくように，絞り羽根45がピン44を中心に回転(ピン44を中心に左回転)させられると，第１の領域51の大きさが小さくなり(開口の大きさが小さくなり)，かつ第２の領域52の大きさも小さくなる。逆に，絞り羽根45の一部の辺41を構成する頂点41Ａ(図10参照)が絞り40の中心から遠ざかるように，絞り羽根45がピン44を中心に回転(ピン44を中心に右回転)させられると，第１の領域51の大きさが大きくなり(開口の大きさが大きくなり)，かつ第２の領域52の大きさも大きくなる。このように，第１の領域51の大きさおよび第２の領域52の大きさを変化させることができる。
【００５７】
絞り37，及び，絞り40も，図１に示す絞り10の代わりにテレビレンズシステムに適用できる。
【００５８】
図12は，他の絞りの一例である。
【００５９】
絞り60の中央には，可視光および赤外光を透過させる第１の領域61が規定されている。第１の領域61を囲むように，第１の領域61の横方向(図12における横方向)には第２の領域62が規定されている。第２の領域62は，可視光は遮光するが赤外光は透過する特性を有する。第２の領域62の上下には第３の領域63が規定されている。第３の領域63は，可視光および赤外光のいずれも遮光する特性を有する。第３の領域63は，第２の領域62によって分断されていることとなるが，このような構造をもつ絞り60でもフォーカスセンサ６の受光面６Ａに比較的光量の多い赤外光を入射させることができる。
【００６０】
図13から図15は，絞りの他の一例を示している。図13から図15に示す絞り70も，図１に示す絞り10の代わりにテレビレンズシステムに適用できる。
【００６１】
図13から図15に示す絞り70では第１の絞り羽根71，第２の絞り羽根72，第３の絞り羽根73および第４の絞り羽根74が利用される。これらの４枚の絞り羽根71から74は，いずれも円弧状の形状をしている。
【００６２】
図13を参照して，第１の絞り羽根71，第２の絞り羽根72，第３の絞り羽根73および第４の絞り羽根74の二つの角のうち一つの角にはピン(図示略)を通す穴71Ａ，72Ａ，73Ａおよび74Ａが形成されている。外側が円弧状となるように，第１の絞り羽根71の穴71Ａと第２の絞り羽根72の穴72Ａとが一致させられる。同様に，外側が円弧状となるように第３の絞り羽根73の穴73Ａと第４の絞り羽根74の穴74Ａとが一致させられる。これらの第１の絞り羽根71，第２の絞り羽根72，第３の絞り羽根73および第４の絞り羽根74の裏に，可視光は遮光するが赤外光は透過する特性を有し，かつ中央が開口されている可視光遮光板が取り付けられると，図14に示す絞り70となる。
【００６３】
図14を参照して，第１の絞り羽根71，第２の絞り羽根72，第３の絞り羽根73および第４の絞り羽根74で規定される内側の領域には開口されている第１の領域76が現れる。第１の領域76は，可視光および赤外光のいずれも透過する。第１の絞り羽根71，第２の絞り羽根72，第３の絞り羽根73および第４の絞り羽根74で規定される内側の領域のうち，第１の領域76を除く領域が第２の領域75となる。第２の領域75は，可視光は遮光するが赤外光は透過する。
【００６４】
第１の絞り羽根71は穴71Ａを中心に所定角度回転でき，第２の絞り羽根72は穴72Ａを中心に所定角度回転でき，第３の絞り羽根73は穴73Ａを中心に所定角度回転でき，第４の絞り羽根74は穴74Ａを中心に所定角度回転できる。
【００６５】
図14に示す状態から，第１の絞り羽根71，第２の絞り羽根72，第３の絞り羽根73および第４の絞り羽根74が中心から離れるように広げられると，図15に示すように，第１の領域76の大きさは変わらずに第２の領域75の大きさが大きくなる（変更させられる）。このように，第１の領域76の大きさを変えずに，第２の領域75の大きさを変更させることができる。もっとも，第１の絞り羽根71，第２の絞り羽根72，第３の絞り羽根73および第４の絞り羽根74が中心に近づくよう回転させられると，第１の領域76の大きさも図14または図15に示す大きさよりも小さくなるので，第１の領域76の大きさも変更させることができる。
【００６６】
図４から図15に示すいずれの絞りにおいても，図３に示す絞り10Ａと同様に，第３の領域を，可視光について半透過特性にしてもよいし，外周部に近づくにつれて可視光の透過率が小さくなるようにしてもよい。
【符号の説明】
【００６７】
１  テレビレンズ
３  ダイクロイックミラー（分離手段）
６  フォーカスセンサ
７  フォーカスレンズ駆動装置
10，10Ａ，30，37，40，60，70  絞り
11，31，51，61，76  第１の領域
12，32，35Ａ，35Ｂ，52，62，75  第２の領域
13Ａ  第３の領域
【図１】
2017047239.tif 000003
【図２】
2017047239.tif 000004
【図３】
2017047239.tif 000005
【図４】
2017047239.tif 000006
【図５】
2017047239.tif 000007
【図６】
2017047239.tif 000008
【図７】
2017047239.tif 000009
【図８】
2017047239.tif 000010
【図９】
2017047239.tif 000011
【図１０】
2017047239.tif 000012
【図１１】
2017047239.tif 000013
【図１２】
2017047239.tif 000014
【図１３】
2017047239.tif 000015
【図１４】
2017047239.tif 000016
【図１５】
2017047239.tif 000017
【手続補正書】
【提出日】平成29年2月22日(2017.2.22)
【手続補正１】
【補正対象書類名】特許請求の範囲
【補正対象項目名】全文
【補正方法】変更
【補正の内容】
【特許請求の範囲】
【請求項１】
可視光と赤外光との両方を透過する特性を有する第１の領域，および，赤外光を透過するが可視光を遮光する特性を有する第２の領域を有する絞り，上記絞りを透過した可視光と赤外光とを分離する分離手段，ならびに
上記分離手段によって分離された赤外光を受光面に入射し，フォーカスレンズ駆動信号を出力するフォーカスセンサ，
を備え，
上記絞りは，赤外光を遮光する特性を有し，かつ可視光を半透過する特性を有する第３の領域を有するフォーカス装置。
【請求項２】
（削除）
【請求項３】
上記第３の領域は外周部に近づくにつれて可視光の透過率が小さくなる，
請求項１に記載のフォーカス装置。
【請求項４】
上記第２の領域と上記フォーカスセンサの受光面とは長手方向と短手方向とを有する形状であり，
上記第２の領域の長手方向と上記フォーカスセンサの受光面の長手方向とが一致しているか，あるいは，上記第２の領域の短手方向と上記フォーカスセンサの受光面の短手方向とが一致している，
請求項１または３に記載のフォーカス装置。
【請求項５】
上記第２の領域は，上記第１の領域に外接している，
請求項４に記載のフォーカス装置。
【請求項６】
上記第３の領域は上記第２の領域によって分断されている，
請求項４または５に記載のフォーカス装置。
【請求項７】
上記絞りにおける上記第１の領域の大きさが変化する，
請求項１及び３から６のうち，いずれか一項に記載のフォーカス装置。
【請求項８】
上記絞りにおける上記第２の領域の大きさが変化する，
請求項１及び３から７のうち，いずれか一項に記載のフォーカス装置。
【請求項９】
上記分離手段によって分離された可視光を，撮像装置の受光面に入射させる，
請求項１及び３から８のうち，いずれか一項に記載のフォーカス装置。
【請求項１０】
上記フォーカスセンサにより出力されたフォーカスレンズ駆動信号を入力し，フォーカスレンズを駆動するフォーカスレンズ駆動装置，
をさらに備えた請求項１及び３から９のうち，いずれか一項に記載のフォーカス装置。
【請求項１１】
請求項１及び３から１０のうち，いずれか一項に記載のフォーカス装置を備えた撮像システム。
【請求項１２】
複数の光学特性領域を有する絞り，絞りを透過した光を分離する分離手段，ならびに，フォーカスレンズ駆動信号を出力するフォーカスセンサを備え，上記絞りは，赤外光を遮光する特性を有し，かつ可視光を半透過する特性を有する第３の領域を有するフォーカス装置によるフォーカスレンズ駆動信号出力方法であって、
分離手段が，可視光と赤外光との両方を透過する特性を有する第１の領域，および赤外光を透過するが可視光を遮光する特性を有する第２の領域を有する絞りを透過した可視光と赤外光とを分離し，
フォーカスセンサが，上記分離手段によって分離された赤外光を受光面に入射し，フォーカスレンズ駆動信号を出力する，
フォーカスレンズ駆動信号出力方法。
【国際調査報告】
2017047239.tif 000018
2017047239.tif 000019
2017047239.tif 000020
2017047239.tif 000021